(57)【要約】【課題】本発明は特定場所内での機密文書等の複写や持ち出しを適切に管理して、機密文書の管理を適切に行う複写装置及び文書管理システムを提供する。【解決手段】複写装置１は、原稿の画像をスキャナ部２２で読み取って、当該原稿の画像データに基づいて給紙ユニット１０から搬送されてきた転写紙Ｐに画像形成部２４で画像を記録するに際して、転写紙Ｐを給紙する給紙部１２に搭載されているマイクロ波センサ１９で、転写紙Ｐが金属繊維または金属の蒸着されたガラス繊維のすき込まれたあるいは金属を含む特殊転写紙Ｐであるか否かを検出し、画像記録対象の転写紙Ｐが特殊転写紙Ｐ以外の転写紙Ｐであると、当該転写紙Ｐへの画像の記録を禁止し、また、マイクロ波センサ１９が画像記録対象の転写紙Ｐが特殊転写紙Ｐであることを検出すると、当該転写紙Ｐへの画像の記録を許可する。【選択図】          図１
2004341428.tif 000002
【特許請求の範囲】
【請求項１】
原稿の画像を画像読取部で読み取って、当該画像読取部の読み取った原稿の画像データに基づいて用紙給紙部から搬送されてきた用紙に画像記録部で画像を記録する複写装置において、前記用紙が金属繊維または金属の蒸着されたガラス繊維のすき込まれたあるいは金属を含む特殊用紙であるか否かを当該用紙にマイクロ波等を照射して検出する特殊用紙検出手段を有し、当該特殊用紙検出手段が、前記画像記録対象の用紙が前記特殊用紙以外の用紙であることを検出すると、当該用紙への前記画像の記録を禁止することを特徴とする複写装置。
【請求項２】
前記複写装置は、前記特殊用紙検出手段が前記画像記録対象の用紙が前記特殊用紙であることを検出すると、当該用紙への前記画像の記録を許可することを特徴とする請求項１記載の複写装置。
【請求項３】
前記複写装置は、前記用紙給紙部が、それぞれ用紙の載置される複数の給紙トレイと、各給紙トレイの給紙位置に移動して当該給紙トレイの用紙を前記画像記録部に送給する給紙手段と、を備え、前記給紙手段が、前記画像記録に使用する前記給紙トレイの給紙位置に移動して当該給紙トレイ内の用紙を前記画像記録部に送給し、当該給紙手段が、前記特殊用紙検出手段を搭載して、前記各給紙トレイの用紙が前記特殊用紙であるか否かを検出することを特徴とする請求項１または請求項２記載の複写装置。
【請求項４】
原稿の画像を画像読取部で読み取って、当該画像読取部の読み取った原稿の画像データに基づいて用紙給紙部から搬送されてきた用紙に画像記録部で画像を記録する複写装置において、前記用紙が金属繊維または金属の蒸着されたガラス繊維のすき込まれたあるいは金属を含む特殊用紙であるか否かを当該用紙にマイクロ波等を照射して検出する特殊用紙検出手段を有し、前記画像読取部が、前記読取対象の原稿が金属繊維または金属の蒸着されたガラス繊維のすき込まれたあるいは金属を含む特殊原稿であるか否かを当該原稿にマイクロ波等を照射して検出する特殊原稿検出手段を有し、当該特殊原稿検出手段が前記読取対象の原稿が前記特殊原稿であることを検出すると、前記特殊用紙検出手段が前記画像記録対象の用紙が前記特殊用紙であることを検出する場合のみ、前記画像読取部の読み取った当該特殊原稿の画像を当該特殊用紙へ記録することを許可することを特徴とする複写装置。
【請求項５】
前記複写装置は、前記用紙給紙部が、それぞれ用紙の載置される複数の給紙トレイと、当該各給紙トレイの給紙位置に移動して当該給紙トレイの載置する用紙を前記画像記録部に送給する給紙手段と、を備え、前記給紙手段が、前記画像記録に使用する前記給紙トレイの給紙位置に移動して当該給紙トレイ内の用紙を前記画像記録部に送給し、当該給紙手段が、前記特殊用紙検出手段を搭載して、前記各給紙トレイの用紙が前記特殊用紙であるか否かを検出することを特徴とする請求項４記載の複写装置。
【請求項６】
所定の出入り口のみが開放された部屋に複写装置が設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出する特殊紙検出手段が配設されていて、当該特殊紙検出手段が特殊紙を検出すると、当該特殊紙の当該部屋外への持ち出しを禁止する文書管理システムであって、前記部屋内に設置されている前記複写装置が、前記請求項１から請求項５のいずれかに記載の複写装置であることを特徴とする文書管理システム。
【発明の詳細な説明】
【０００１】
【発明の属する技術分野】
本発明は、複写装置及び文書管理システムに関し、詳細には、特定場所内での機密文書等の複写や持ち出しを適切に管理して、機密文書のセキュリティ管理を適切に行う複写装置及び文書管理システムに関する。
【０００２】
【従来の技術】
【特許文献１】
特開平１０−１３２７５９号公報
【特許文献２】
特開平１０−１３２７６０号公報
【特許文献３】
特開平１０−１３４２２２号公報
【特許文献４】
特開平１０−１３４２２３号公報
【特許文献５】
特開平１０−１４３７０６号公報
【特許文献６】
特開平１０−１４３７０７号公報
【特許文献７】
特開平１０−２５５０９９号公報
近年、画像処理技術や画像形成技術の向上によって、カラー複写機で複写したコピー紙幣と実際の紙幣とが容易に区別できないほど精巧に画像形成を行うことが可能になっている。このため、紙幣・有価証券等の複製が禁止されている特殊原稿を判定し、特殊原稿の場合に違法複写を禁止するようにした装置が開発されており、複写機に特殊原稿を判定する機能を搭載した画像形成装置も提案されている。
【０００３】
上記特殊原稿として、それ自身が特殊原稿であることを示すために金属繊維がすき込まれたものがある。このような特殊原稿を通常の原稿から判別するには、特殊原稿中にすき込まれた金属繊維を検出すれば良い。そのため、金属繊維がすき込まれた特殊原稿を判定するための画像形成装置として、原稿に対してマイクロ波を照射し、照射したマイクロ波の透過波または反射波を検出して、検出信号を出力するマイクロ波センサと、マイクロ波センサから出力された検出信号を入力し、この検出信号を用いて、原稿中に金属繊維がすき込まれているか否か判定する信号判定部と、を備えたものが提案されている。
【０００４】
上記画像形成装置においてマイクロ波センサは、一般に、撮像用のＣＣＤ等を備える画像読取ユニットに設けられ、原稿台に載置された原稿上を画像読取ユニットと共に往復運動し、その往路にて金属繊維を検出するためのマイクロ波の照射および反射波の検出を行う。そして、信号判定部が、マイクロ波センサから出力された反射波の検出信号を入力し、入力した検出信号を用いて、原稿中に金属繊維がすき込まれているか否か判定し、原稿中に金属繊維がすき込まれていると判定された場合、原稿が金属繊維のすき込まれた紙幣、有価証券等の特殊原稿であると判定する。
【０００５】
ところが、上記従来の技術では、例えば、画像読取ユニットの振動、温度変化等の影響により、マイクロ波センサから出力される検出信号中にノイズ等の外乱成分が含まれると、必ずしも精度良く特殊原稿の判定を行うことができないという問題点があった。
【０００６】
そこで、本出願人は、先に、原稿に対してマイクロ波を照射して走査し、照射したマイクロ波の反射波を検出する際に、走査の往路および復路の両方で、原稿にマイクロ波を照射して、その反射波を検出し、検出信号を出力する第１の工程と、第１の工程で検出した往路および復路の反射波の検出信号を用いて、原稿中に金属繊維がすき込まれているか否かを判定する第２の工程と、第２の工程の判定結果に基づいて、原稿が特殊原稿であるか否かを判定する第３の工程と、を有することで、マイクロ波の発射・反射の方向性、温度、信号、外部ノイズ等の外乱成分を検出信号から除去し、精度の高い特殊原稿の判定処理を行う特殊原稿判定方法およびその方法を実行するプログラムを格納した、コンピュータが読取可能な記憶媒体、特殊原稿判定装置並びに画像読取装置を提案している（特許文献１参照）。
【０００７】
また、本出願人は、先に、マイクロ波を利用して、原稿が金属繊維のすき込まれた紙幣等の特殊原稿であるかを検出する特殊原稿判定機能を有する画像読取装置等の技術を種々提案している（特許文献２〜特許文献７参照）。
【０００８】
そして、これら従来の技術は、コピー対象の原稿が、金属繊維のすき込まれた紙幣、有価証券等の特殊原稿であるか否かを検出して、特殊原稿の場合にコピーを禁止している。
【０００９】
【発明が解決しようとする課題】
しかしながら、このような従来技術にあっては、金属繊維のすき込まれた紙幣、有価証券等の特殊原稿であるか否かを検出して、特殊原稿の場合にコピーを禁止しているが、近時、公共施設や企業等においては、機密文書等の特殊原稿を特定の場所内での閲覧のみを許可し、持ち出しを禁止している場合があり、このような場合に、従来の技術では、機密文書等の管理を厳しくしても、閲覧時に機密文書のコピーを取って、当該コピーが持ち出される場合に対応することができないという問題があった。
【００１０】
そこで、請求項１記載の発明は、原稿の画像を画像読取部で読み取って、当該画像読取部の読み取った原稿の画像データに基づいて用紙給紙部から搬送されてきた用紙に画像記録部で画像を記録するに際して、特殊用紙検出手段で、用紙が金属繊維または金属の蒸着されたガラス繊維のすき込まれたあるいは金属を含む特殊用紙であるか否かを当該用紙にマイクロ波等を照射して検出し、画像記録対象の用紙が特殊用紙以外の用紙であると、当該用紙への画像の記録を禁止することにより、特殊用紙以外の用紙への画像記録を禁止して、複写可能な用紙の管理や複写装置の使用管理を適切に行い、セキュリティ管理を簡単かつ確実に行う複写装置を提供することを目的としている。
【００１１】
請求項２記載の発明は、特殊用紙検出手段が画像記録対象の用紙が特殊用紙であることを検出すると、当該用紙への画像の記録を許可することにより、特殊用紙への画像記録のみを許可して、複写可能な用紙の管理や複写装置の使用管理を適切に行い、セキュリティ管理を簡単かつ確実に行う複写装置を提供することを目的としている。
【００１２】
請求項３記載の発明は、用紙給紙部を、それぞれ用紙の載置される複数の給紙トレイと、各給紙トレイの給紙位置に移動して当該給紙トレイの用紙を画像記録部に送給する給紙手段と、を備え、給紙手段が、画像記録に使用する給紙トレイの給紙位置に移動して当該給紙トレイ内の用紙を画像記録部に送給するものとし、当該給紙手段が、特殊用紙検出手段を搭載して、各給紙トレイの用紙が特殊用紙であるか否かを検出することにより、給紙手段の搭載する１個の特殊用紙検出手段で複数の給紙トレイの用紙が特殊用紙であるか否かを安価に検出して、複写可能な用紙の管理や複写装置の使用管理を安価にかつ適切に行い、セキュリティ管理を安価で簡単かつ確実に行う複写装置を提供することを目的としている。
【００１３】
請求項４記載の発明は、原稿の画像を画像読取部で読み取って、当該画像読取部の読み取った原稿の画像データに基づいて用紙給紙部から搬送されてきた用紙に画像記録部で画像を記録するに際して、特殊用紙検出手段で、用紙が金属繊維または金属の蒸着されたガラス繊維のすき込まれたあるいは金属を含む特殊用紙であるか否かを当該用紙にマイクロ波等を照射して検出し、画像読取部に、読取対象の原稿が金属繊維または金属の蒸着されたガラス繊維のすき込まれたあるいは金属を含む特殊原稿であるか否かを当該原稿にマイクロ波等を照射して検出する特殊原稿検出手段を設け、当該特殊原稿検出手段が読取対象の原稿が特殊原稿であることを検出すると、特殊用紙検出手段が画像記録対象の用紙が特殊用紙であることを検出する場合のみ、画像読取部の読み取った当該特殊原稿の画像を当該特殊用紙へ記録することを許可することにより、特殊原稿の画像の特殊用紙への記録出力のみを許可して、複写可能な原稿と用紙の管理や複写装置の使用管理を適切に行い、セキュリティ管理を簡単かつ確実に行う複写装置を提供することを目的としている。
【００１４】
請求項５記載の発明は、用紙給紙部を、それぞれ用紙の載置される複数の給紙トレイと、各給紙トレイの給紙位置に移動して当該給紙トレイの用紙を画像記録部に送給する給紙手段と、を備え、給紙手段が、画像記録に使用する給紙トレイの給紙位置に移動して当該給紙トレイ内の用紙を画像記録部に送給するものとし、当該給紙手段が、特殊用紙検出手段を搭載して、各給紙トレイの用紙が特殊用紙であるか否かを検出することにより、給紙手段の搭載する１個の特殊用紙検出手段で複数の給紙トレイの用紙が特殊用紙であるかを安価に検出して、複写可能な原稿と用紙の管理や複写装置の使用管理を安価にかつ適切に行い、セキュリティ管理を安価で簡単かつ確実に行う複写装置を提供することを目的としている。
【００１５】
請求項６記載の発明は、所定の出入り口のみが開放された部屋に複写装置が設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出する特殊紙検出手段が配設されていて、当該特殊紙検出手段が特殊紙を検出すると、当該特殊紙の当該部屋外への持ち出しを禁止するに際して、当該部屋内に設置する複写装置として、請求項１から請求項５のいずれかに記載の複写装置を設置することにより、複写装置での複写を適切に管理するとともに、複写装置で複写された用紙や原稿の部屋からの持ち出しを禁止し、複写装置だけのセキュリティ管理だけでなく、複写装置の設置されている環境のセキュリティ管理を適切に行って、機密文書のセキュリティ管理を適切に行う文書管理システムを提供することを目的としている。
【００１６】
【課題を解決するための手段】
請求項１記載の発明の複写装置は、原稿の画像を画像読取部で読み取って、当該画像読取部の読み取った原稿の画像データに基づいて用紙給紙部から搬送されてきた用紙に画像記録部で画像を記録する複写装置において、前記用紙が金属繊維または金属の蒸着されたガラス繊維のすき込まれたあるいは金属を含む特殊用紙であるか否かを当該用紙にマイクロ波等を照射して検出する特殊用紙検出手段を有し、当該特殊用紙検出手段が、前記画像記録対象の用紙が前記特殊用紙以外の用紙であることを検出すると、当該用紙への前記画像の記録を禁止することにより、上記目的を達成している。
【００１７】
上記構成によれば、原稿の画像を画像読取部で読み取って、当該画像読取部の読み取った原稿の画像データに基づいて用紙給紙部から搬送されてきた用紙に画像記録部で画像を記録するに際して、特殊用紙検出手段で、用紙が金属繊維または金属の蒸着されたガラス繊維のすき込まれたあるいは金属を含む特殊用紙であるか否かを当該用紙にマイクロ波等を照射して検出し、画像記録対象の用紙が特殊用紙以外の用紙であると、当該用紙への画像の記録を禁止するので、特殊用紙以外の用紙への画像記録を禁止して、複写可能な用紙の管理や複写装置の使用管理を適切に行うことができ、セキュリティ管理を簡単かつ確実に行うことができる。
【００１８】
この場合、例えば、請求項２に記載するように、前記複写装置は、前記特殊用紙検出手段が前記画像記録対象の用紙が前記特殊用紙であることを検出すると、当該用紙への前記画像の記録を許可するものであってもよい。
【００１９】
上記構成によれば、特殊用紙検出手段が画像記録対象の用紙が特殊用紙であることを検出すると、当該用紙への画像の記録を許可するので、特殊用紙への画像記録のみを許可して、複写可能な用紙の管理や複写装置の使用管理を適切に行うことができ、セキュリティ管理を簡単かつ確実に行うことができる。
【００２０】
また、例えば、請求項３に記載するように、前記複写装置は、前記用紙給紙部が、それぞれ用紙の載置される複数の給紙トレイと、各給紙トレイの給紙位置に移動して当該給紙トレイの用紙を前記画像記録部に送給する給紙手段と、を備え、前記給紙手段が、前記画像記録に使用する前記給紙トレイの給紙位置に移動して当該給紙トレイ内の用紙を前記画像記録部に送給し、当該給紙手段が、前記特殊用紙検出手段を搭載して、前記各給紙トレイの用紙が前記特殊用紙であるか否かを検出するものであってもよい。
【００２１】
上記構成によれば、用紙給紙部を、それぞれ用紙の載置される複数の給紙トレイと、各給紙トレイの給紙位置に移動して当該給紙トレイの用紙を画像記録部に送給する給紙手段と、を備え、給紙手段が、画像記録に使用する給紙トレイの給紙位置に移動して当該給紙トレイ内の用紙を画像記録部に送給するものとし、当該給紙手段が、特殊用紙検出手段を搭載して、各給紙トレイの用紙が特殊用紙であるか否かを検出するので、給紙手段の搭載する１個の特殊用紙検出手段で複数の給紙トレイの用紙が特殊用紙であるか否かを安価に検出して、複写可能な用紙の管理や複写装置の使用管理を安価にかつ適切に行うことができ、セキュリティ管理を安価で簡単かつ確実に行うことができる。
【００２２】
請求項４記載の発明の複写装置は、原稿の画像を画像読取部で読み取って、当該画像読取部の読み取った原稿の画像データに基づいて用紙給紙部から搬送されてきた用紙に画像記録部で画像を記録する複写装置において、前記用紙が金属繊維または金属の蒸着されたガラス繊維のすき込まれたあるいは金属を含む特殊用紙であるか否かを当該用紙にマイクロ波等を照射して検出する特殊用紙検出手段を有し、前記画像読取部が、前記読取対象の原稿が金属繊維または金属の蒸着されたガラス繊維のすき込まれたあるいは金属を含む特殊原稿であるか否かを当該原稿にマイクロ波等を照射して検出する特殊原稿検出手段を有し、当該特殊原稿検出手段が前記読取対象の原稿が前記特殊原稿であることを検出すると、前記特殊用紙検出手段が前記画像記録対象の用紙が前記特殊用紙であることを検出する場合のみ、前記画像読取部の読み取った当該特殊原稿の画像を当該特殊用紙へ記録することを許可することにより、上記目的を達成している。
【００２３】
上記構成によれば、原稿の画像を画像読取部で読み取って、当該画像読取部の読み取った原稿の画像データに基づいて用紙給紙部から搬送されてきた用紙に画像記録部で画像を記録するに際して、特殊用紙検出手段で、用紙が金属繊維または金属の蒸着されたガラス繊維のすき込まれたあるいは金属を含む特殊用紙であるか否かを当該用紙にマイクロ波等を照射して検出し、画像読取部に、読取対象の原稿が金属繊維または金属の蒸着されたガラス繊維のすき込まれたあるいは金属を含む特殊原稿であるか否かを当該原稿にマイクロ波等を照射して検出する特殊原稿検出手段を設け、当該特殊原稿検出手段が読取対象の原稿が特殊原稿であることを検出すると、特殊用紙検出手段が画像記録対象の用紙が特殊用紙であることを検出する場合のみ、画像読取部の読み取った当該特殊原稿の画像を当該特殊用紙へ記録することを許可するので、特殊原稿の画像の特殊用紙への記録出力のみを許可して、複写可能な原稿と用紙の管理や複写装置の使用管理を適切に行うことができ、セキュリティ管理を簡単かつ確実に行うことができる。
【００２４】
請求項４の場合、例えば、請求項５に記載するように、前記複写装置は、前記用紙給紙部が、それぞれ用紙の載置される複数の給紙トレイと、当該各給紙トレイの給紙位置に移動して当該給紙トレイの載置する用紙を前記画像記録部に送給する給紙手段と、を備え、前記給紙手段が、前記画像記録に使用する前記給紙トレイの給紙位置に移動して当該給紙トレイ内の用紙を前記画像記録部に送給し、当該給紙手段が、前記特殊用紙検出手段を搭載して、前記各給紙トレイの用紙が前記特殊用紙であるか否かを検出するものであってもよい。
【００２５】
上記構成によれば、用紙給紙部を、それぞれ用紙の載置される複数の給紙トレイと、各給紙トレイの給紙位置に移動して当該給紙トレイの用紙を画像記録部に送給する給紙手段と、を備え、給紙手段が、画像記録に使用する給紙トレイの給紙位置に移動して当該給紙トレイ内の用紙を画像記録部に送給するものとし、当該給紙手段が、特殊用紙検出手段を搭載して、各給紙トレイの用紙が特殊用紙であるか否かを検出しているので、給紙手段の搭載する１個の特殊用紙検出手段で複数の給紙トレイの用紙が特殊用紙であるかを安価に検出して、複写可能な原稿と用紙の管理や複写装置の使用管理を安価にかつ適切に行うことができ、セキュリティ管理を安価で簡単かつ確実に行うことができる。
【００２６】
請求項６記載の発明の文書管理システムは、所定の出入り口のみが開放された部屋に複写装置が設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出する特殊紙検出手段が配設されていて、当該特殊紙検出手段が特殊紙を検出すると、当該特殊紙の当該部屋外への持ち出しを禁止する文書管理システムであって、前記部屋内に設置されている前記複写装置が、前記請求項１から請求項５のいずれかに記載の複写装置であることにより、上記目的を達成している。
【００２７】
上記構成によれば、所定の出入り口のみが開放された部屋に複写装置が設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出する特殊紙検出手段が配設されていて、当該特殊紙検出手段が特殊紙を検出すると、当該特殊紙の当該部屋外への持ち出しを禁止するに際して、当該部屋内に設置する複写装置として、請求項１から請求項５のいずれかに記載の複写装置を設置しているので、複写装置での複写を適切に管理することができるとともに、複写装置で複写された用紙や原稿の部屋からの持ち出しを禁止することができ、複写装置だけのセキュリティ管理だけでなく、複写装置の設置されている環境のセキュリティ管理を適切に行って、機密文書のセキュリティ管理を適切に行うことができる。
【００２８】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２９】
図１〜図４は、本発明の複写装置及び文書管理システムの第１の実施の形態を示す図であり、図１は、本発明の複写装置及び文書管理システムの第１の実施の形態を適用した複写装置１の正面要部概略構成図である。
【００３０】
図１において、複写装置１は、給紙ユニット１０上に、コピー本体部２０が搭載され、コピー本体部２０の上部の図１の右側には、操作ユニット２１が設けられている。
【００３１】
給紙ユニット（用紙給紙部）１０は、上下方向に複数段配設された給紙トレイ１１ａ〜１１ｅ、各給紙トレイ１１ａ〜１１ｅに対応する給紙位置にそれぞれ設けられ各給紙トレイ１１ａ〜１１ｅから転写紙Ｐを給紙する給紙部１２、各給紙トレイ１１ａ〜１１ｅ毎に設けられ各給紙トレイ１１ａ〜１１ｅを給紙部１２による給紙可能位置であるセットポジションへ移動させるトレイ移動機構１３及び各給紙トレイ１１ａ〜１１ｅを給紙ユニット１０内に収納しまた取り出すためのドア１４等を備えており、各給紙トレイ１１ａ〜１１ｅには、それぞれ各種サイズの転写紙Ｐであって、金属繊維または金属が蒸着されたガラス繊維のすき込まれあるいは金属を含む特殊転写紙Ｐや特殊転写紙Ｐ以外の通常の転写紙Ｐがセットされる。
【００３２】
給紙ユニット１０は、操作ユニット２１で選択された給紙トレイ１１ａ〜１１ｅを、当該給紙トレイ１１ａ〜１１ｅの給紙部１２による給紙可能位置であるセットポジションへトレイ移動機構１３により移動させ、当該給紙トレイ１１ａ〜１１ｅに搭載されている転写紙Ｐを給紙部１２でコピー本体部２０へ給紙・搬送する。
【００３３】
各給紙部１２は、図２に拡大して示すように、筐体１５内に、ピックアップローラ１６、フィードローラ１７及びリバースローラ１８等のローラを備えているとともに、転写紙Ｐの搬送路に、当該搬送路を通過する転写紙Ｐが特殊転写紙Ｐであるか、通常の転写紙Ｐであるかを検出するマイクロ波センサ１９が設けられている。
【００３４】
給紙部１２は、給紙トレイ１１ａ〜１１ｅ上の転写紙Ｐをピックアップローラ１６で給紙部１２内に取り込み、フィードローラ１７及びリバースローラ１８で１枚ずつ分離して、搬送路上をコピー本体部２０へ給紙・搬送する。
【００３５】
そして、マイクロ波センサ１９は、この搬送路上を搬送される転写紙Ｐにマイクロ波を照射し、転写紙Ｐからの反射波を受信して、当該転写紙Ｐが、特殊転写紙Ｐであるか、通常の転写紙Ｐであるかを検出する。
【００３６】
コピー本体部２０は、スキャナ部２２、光書込部２３、画像形成部２４、定着部２５、反転搬送部２６及びレジストローラ２７等を備え、スキャナ部（画像読取部）２２で原稿の画像を読み取って、当該読み取った原稿の画像データに必要な画像処理を施した後、光書込部２３で、当該画像データで変調したレーザビームを画像形成部２４の感光体２４ａに照射して、図１の時計方向に回転される感光体２４ａに静電潜像を書き込む。静電潜像の形成された感光体２４ａは、現像部２４ｂでトナーが供給されて現像され、給紙ユニット１０から搬送されてきた転写紙Ｐをレジストローラ２７でタイミング調整した後、感光体２４ａに搬送して、感光体２４ａ上のトナー画像を転写紙Ｐに転写する。コピー本体部２０は、トナー画像の転写された転写紙Ｐを定着部２５に搬送して、定着部２５で加熱・加圧しつつ搬送して転写紙Ｐ上のトナー画像を定着させ、トナー画像の定着した転写紙Ｐを搬送部２８でコピー本体部２０外に排出する。一方、転写紙Ｐの両面にコピーする場合には、定着部２５で定着の完了した転写紙Ｐを反転搬送部２６に送り込んで、反転搬送部２６で転写紙Ｐを反転させた後、再度、レジストローラ２７を介して、感光体２４ａに搬送し、当該転写紙Ｐの裏面に画像形成する。上記光書込部２３、画像形成部２４、定着部２５等は、全体として、画像記録部として機能している。
【００３７】
そして、複写装置１は、図３に示すようにブロック構成されており、制御ユニット３０、上記操作ユニット２１、転写紙判別ユニット３１、出力負荷部３２及び各種センサ３３等を備えている。
【００３８】
転写紙判別ユニット３１は、上記マイクロ波センサ１９と信号処理部３４等を備えており、マイクロ波センサ１９は、信号処理部３４の制御下で、転写紙Ｐに対してマイクロ波を照射（出力）し、その反射波を検出（検知）して、反射波のレベルに応じた検出信号を信号処理部３４に出力する。信号処理部３４は、制御ユニット３０の制御下で、マイクロ波センサ１９を駆動させるとともに、マイクロ波センサ１９から入力される検出信号を用いて、転写紙Ｐが特殊転写紙Ｐであるか否かを判定して、判定結果を制御ユニット３０に出力する。
【００３９】
出力負荷部３２は、感光体ドラム、帯電器、現像器等の画像形成部２４及びこれらを駆動するためのモータ、クラッチ及びソレノイド等を総称したものであり、各種センサ３３は、感光体２４ａの表面電位やトナー濃度等を検出するセンサを総称したものである。
【００４０】
制御ユニット３０は、複写装置１の各部を制御して、複写装置１としての基本処理を実行するとともに、マイクロ波センサ１９を用いたコピー制御を行ってセキュリティ処理を実行する。
【００４１】
そして、この複写装置１は、図示しないが、基本的に持出禁止の機密文書の保管されている部屋に設置されており、当該部屋の出入り口には、セキュリティ装置が設けられている。このセキュリティ装置は、上記部屋の出入り口に設けられたマイクロ波センサを有し、このマイクロ波センサ（特殊紙検出手段）は、上記給紙部１２に設けられている上記マイクロ波センサ１９と同様の原理であって、金属繊維または金属が蒸着されたガラス繊維がすき込まれたあるいは金属を含む原稿となる文書や転写紙等の特殊紙を検出する。セキュリティ装置は、部屋の出入り口に設けられたマイクロ波センサが特殊紙を検出すると、ビデオカメラを作動させて特殊紙を持ち出す人物を撮影したり、ブザーを鳴動させる等の警報を発生して、当該特殊紙が部屋から持ち出されることを防止する。
【００４２】
次に、本実施の形態の作用を説明する。本実施の形態の複写装置１は、持出禁止の機密文書の保管されている部屋に設置されており、この部屋内の複写装置１でのコピーを特殊転写紙Ｐに限って許可して、当該部屋内からの機密文書の流出を確実に防止する。
【００４３】
すなわち、複写装置１は、持出禁止の機密文書の保管されている部屋に設置されており、部屋の出入り口には、マイクロ波センサを有するセキュリティ装置が設けられている。セキュリティ装置は、そのマイクロ波センサで、金属繊維がすき込まれたり、金属が蒸着された原稿等の特殊用紙を検出して、当該特殊用紙を検出すると、ビデオカメラを作動させて特殊用紙を持ち出す人物を撮影したり、ブザーを鳴動させる等の警報を発生して、当該特殊用紙が部屋から持ち出されることを防止する。
【００４４】
そして、この部屋内に設定されている複写装置１は、コピー本体部２０のスキャナ部２２で読み取った原稿の画像を、給紙ユニット１０からコピー本体部２０に搬送する転写紙Ｐに記録出力する。
【００４５】
そして、画像を記録出力する転写紙Ｐには、特殊転写紙Ｐと、特殊転写紙Ｐ以外の通常の転写紙Ｐがあり、複写装置１は、コピー対象の転写紙Ｐが特殊転写紙Ｐでないときには、コピーを禁止し、コピー対象の転写紙Ｐが特殊転写紙Ｐであると、コピーを行う。
【００４６】
すなわち、複写装置１は、給紙ユニット１０に、それぞれ複数枚の転写紙Ｐを載置する給紙トレイ１１ａ〜１１ｅを備え、操作ユニット２１の操作でコピーに使用する給紙トレイ１１ａ〜１１ｅが選択されると、当該選択された給紙トレイ１１ａ〜１１ｅを、トレイ移動機構１３により、当該給紙トレイ１１ａ〜１１ｅの給紙部１２での給紙可能位置に移動させる。
【００４７】
そして、各給紙部１２には、各給紙トレイ１１ａ〜１１ｅから転写紙Ｐを搬送する搬送経路に、転写紙判別ユニット３１のマイクロ波センサ１９が配設されており、マイクロ波センサ１９は、信号処理部３４の制御下で、転写紙Ｐに対してマイクロ波を照射（出力）して、その反射波を検出（検知）し、反射波のレベルに応じた検出信号を信号処理部３４に出力する。
【００４８】
信号処理部３４は、マイクロ波センサ１９から入力される検出信号を用いて、転写紙Ｐが特殊転写紙Ｐであるか否かを判定して、判定結果を制御ユニット３０に出力する。
【００４９】
そして、このマイクロ波センサ１９が金属繊維または金属が蒸着されたガラス繊維のすき込まれあるいは金属を含む特殊転写紙Ｐを読み取ったときの検出信号は、非金属部分と金属部分とで、その信号波形が、図４に示すように変化し、金属部分ではセンサ出力（検出信号レベル）Ｓａが高く、非金属部分では、センサ出力Ｓａが低くなる。そこで、信号処理部３４は、非金属部分と金属部分を峻別する判定スレッシュレベルＴｈｂを適切に設定して、マイクロ波センサ１９のセンサ出力Ｓａと判定スレッシュレベルＴｈｂを比較することで、給紙部１２を搬送される転写紙Ｐが、特殊転写紙Ｐであるか、特殊転写紙Ｐ以外の通常の転写紙Ｐであるかを判別することができる。
【００５０】
複写装置１は、コピー時、操作ユニット２１で選択された給紙トレイ１１ａ〜１１ｅの転写紙Ｐを給紙部１２でコピー本体部２０に搬送して、当該転写紙Ｐに画像を記録するが、この給紙部１２で搬送する転写紙Ｐが特殊転写紙Ｐであるか、通常の転写紙Ｐであるかをマイクロ波センサ１９の検出結果に基づいて、信号処理部３４が判定して、その判定結果を制御ユニット３０に出力する。
【００５１】
制御ユニット３０は、転写紙判別ユニット３１の信号処理部３４からの転写紙判定結果が特殊転写紙Ｐではなく、通常の転写紙Ｐであることを示していると、当該転写紙Ｐへの画像の記録出力、すなわち、コピー動作を停止し、非特殊転写紙Ｐへのコピーを防止する。
【００５２】
一方、制御ユニット３０は、信号処理部３４からの転写紙判定結果が特殊転写紙Ｐであることを示していると、当該転写紙Ｐへの画像の記録出力、すなわち、コピー動作を許可し、特殊転写紙Ｐへのコピーを可能として、必要な秘密書類のコピーを可能とする。
【００５３】
ところが、このコピーの取られた特殊転写紙Ｐは、複写装置１の設定されている部屋から持ち出そうとすると、セキュリティ装置のマイクロ波センサが当該コピーの行われた特殊転写紙Ｐを検出して、警報を発生し、コピーされた特殊転写紙Ｐが機密文書の持ち出しの禁止されている部屋から持ち出されるのを確実に防止する。
【００５４】
このように、本実施の形態の複写装置１は、原稿の画像をスキャナ部２２で読み取って、当該スキャナ部２２の読み取った原稿の画像データに基づいて給紙ユニット１０から搬送されてきた転写紙Ｐに画像形成部２４で画像を記録するに際して、マイクロ波センサ１９で、転写紙Ｐが金属繊維または金属の蒸着されたガラス繊維のすき込まれたあるいは金属を含む特殊転写紙Ｐであるか否かを当該転写紙Ｐにマイクロ波等を照射して検出し、画像記録対象の転写紙Ｐが特殊転写紙Ｐ以外の転写紙Ｐであると、当該転写紙Ｐへの画像の記録を禁止し、また、マイクロ波センサ１９が画像記録対象の転写紙Ｐが特殊転写紙Ｐであることを検出すると、当該転写紙Ｐへの画像の記録を許可している。
【００５５】
したがって、特殊転写紙Ｐ以外の転写紙Ｐへの画像記録を禁止して、複写可能な転写紙Ｐの管理や複写装置１の使用管理を適切に行うことができ、セキュリティ管理を簡単かつ確実に行うことができる。
【００５６】
また、本実施の形態の文書管理システムは、複写装置１が、所定の出入り口のみが開放された部屋内に設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出するマイクロ波センサが配設されていて、当該マイクロ波センサが特殊紙を検出すると、当該特殊紙の当該部屋外への持ち出しを禁止している。
【００５７】
したがって、複写装置１での複写を適切に管理することができるとともに、複写装置１で複写された転写紙Ｐや原稿の部屋からの持ち出しを禁止することができ、複写装置１だけのセキュリティ管理だけでなく、複写装置１の設置されている環境のセキュリティ管理を適切に行って、機密文書のセキュリティ管理を適切に行うことができる。
【００５８】
図５〜図１２は、本発明の本発明の複写装置及び文書管理システムの第２の実施の形態を示す図であり、図５は、本発明の複写装置及び文書管理システムの第２の実施の形態を適用した複写装置１の正面要部概略構成図である。
【００５９】
本実施の形態は、上記第１の実施の形態の複写装置１と同様の複写装置１００に適用したものであり、本実施の形態の説明においては、上記第１の実施の形態の複写装置１と同様の構成部分には、同一の符号を付して、その詳細な説明を省略する。
【００６０】
図５において、複写装置１００は、給紙ユニット１１０上に、コピー本体部２０が搭載され、コピー本体部２０の上部の図１の右側には、操作ユニット２１が設けられている。
【００６１】
給紙ユニット（用紙給紙部）１１０は、上下方向に配設された複数の給紙トレイ１１ａ〜１１ｅ、各給紙トレイ１１ａ〜１１ｅに対応する給紙位置に移動して各給紙トレイ１１ａ〜１１ｅから転写紙Ｐを給紙する給紙部（給紙手段）１２、各給紙トレイ１１ａ〜１１ｅ毎に設けられ各給紙トレイ１１ａ〜１１ｅを給紙部１２による給紙可能位置であるセットポジションへ移動させるトレイ移動機構１３、給紙部１２を各給紙トレイ１１ａ〜１１ｅに沿って昇降させる昇降機構１１１（図６参照）及び各給紙トレイ１１ａ〜１１ｅを給紙ユニット１０内に収納しまた取り出すためのドア１１２等を備えており、各給紙トレイ１１ａ〜１１ｅには、それぞれ各種サイズの転写紙Ｐであって、金属繊維または金属が蒸着されたガラス繊維のすき込まれあるいは金属を含む特殊転写紙Ｐや特殊転写紙Ｐ以外の通常の転写紙Ｐがセットされる。
【００６２】
そして、複写装置１００は、その給紙部１２の移動制御機構部が、図６に示すように構成されており、上記昇降機構１１１、制御ユニット１５０及び操作ユニット２１等を備えている。
【００６３】
制御ユニット１５０は、操作ユニット２１でコピーに使用する給紙トレイ１１ａ〜１１ｅの選択操作が行われると、当該選択された給紙トレイ１１ａ〜１１ｅのトレイ移動機構１３を駆動させて、当該選択された給紙トレイ１１ａ〜１１ｅを給紙部１２による給紙可能位置であるセットポジションへ移動させ、昇降機構１１１の駆動モータ１１３を駆動させて、給紙部１２を当該セットポジションに移動している給紙トレイ１１ａ〜１１ｅの給紙位置に移動させ、当該給紙トレイ１１ａ〜１１ｅに搭載されている転写紙Ｐを給紙部１２でコピー本体部２０へ給紙・搬送する。
【００６４】
この給紙部１２は、図７及び図８に示すように、上記第１の実施の形態の給紙部１２と同様に、筐体１５内に、ピックアップローラ１６、フィードローラ１７及びリバースローラ１８等のローラを備えているとともに、各給紙トレイ１１ａ〜１１ｅに収納されている転写紙Ｐが金属繊維または金属が蒸着されたガラス繊維のすき込まれあるいは金属を含む特殊転写紙Ｐであるか、通常の転写紙Ｐであるかを検出するマイクロ波センサ（特殊用紙検出手段）１１４が設けられている。このピックアップローラ１６は、フィードローラ１７のローラ軸１７ａに回動可能に取り付けられている支持板１６ａに回転可能に取り付けられており、給紙トレイ１１ａ〜１１ｅの転写紙Ｐの上面に当接して、当該転写紙Ｐ上で回転することで、転写紙Ｐを給紙部１２内に取り込む。この支持板１６ａのピックアップローラ１６の取り付けられている側の上端には、上方に突出した突片１６ｂが形成されており、突片１６ｂは、図７及び図８で実線で示すように、上方に移動すると、当該位置に設けられているピツクアツプセンサ１２ａの検知部を遮光する。このピックアップセンサ１２ａは、給紙部１２が、選択された給紙トレイ１１ａ〜１１ｅに対応する給紙位置に移動することで、当該給紙トレイ１１ａ〜１１ｅの転写紙Ｐによりピックアップローラ１６が上方に移動するのに伴って、支持板１６ａの突片１６ｂがピックアップセンサ１２ａの検知部を遮光して給紙位置移動完了信号を制御ユニット１５０に出力する。
【００６５】
給紙部１２は、給紙トレイ１１ａ〜１１ｅ上の転写紙Ｐをピックアップローラ１６で給紙部１２内に取り込み、フィードローラ１７及びリバースローラ１８で１枚ずつ分離して、搬送路上をコピー本体部２０へ給紙・搬送する。
【００６６】
そして、マイクロ波センサ１１４は、各給紙トレイ１１ａ〜１１ｅに載置されている転写紙Ｐにマイクロ波を照射し、その反射波を受信して、当該給紙トレイ１１ａ〜１１ｅの転写紙Ｐが、特殊転写紙Ｐであるか、通常の転写紙Ｐであるか、を検出する。
【００６７】
なお、昇降機構１１１には、給紙部１２の上昇限位置であるホームポジション位置を検出するための給紙部センサ１１５が配設されており、一方、給紙部１２の上部には、ホームポジション位置で給紙部センサ１１５の検知部を遮光する遮光片１２ｂが固定されている。したがって、給紙部１２がホームポジション位置に上昇移動すると、遮光片１２ｂが給紙部センサ１１５の検知部を遮光し、給紙部センサ１１５が上限検知信号を制御ユニット１５０に出力する。
【００６８】
そして、昇降機構１１１は、図９に示すように、給紙ユニット１１０のドア１１２の内側に、その主要部が組み込まれており、ドア１１２の図９に矢示Ｇで示す方向への開放動作に伴つて、給紙ユニット１１０内の給紙トレイ１１ａ〜１１ｅから離間するようになつている。
【００６９】
給紙部１２は、その横方向一方側の端部に形成された案内部１２ｃが、ドア１１２内に鉛直方向に設けられたスライド軸１１６にスライド可能に取り付けられているとともに、横方向他方側の端部に上下方向に並んで形成された１対のワイヤ固定ロッド１１７が、ドア１１２内の横方向略中間部に鉛直方向に配設されている中間側板１１８に鉛直方向に形成されているガイド孔１１８ａ内に挿入されており、案内部１２ｃがスライド軸１１６に沿って移動するとともに、ワイヤ固定ロッド１１７がガイド孔１１８ａ内を案内されつつ移動することで、上下方向に昇降する。
【００７０】
給紙部１２の案内部１２ｃとワイヤ固定ロッド１１７には、それぞれワイヤ１１９ａ、１１９ｂが連結されており、ワイヤ１１９ａ、１１９ｂは、それぞれ巻取軸１２０に固定されているプーリ１２１ａ、１２１ｂにループ状に巻き付けられている。
【００７１】
巻取軸１２０は、複数のギヤ１２２を介して上記昇降機構１１１の駆動モータ１１３のギヤ１１３ａに連結されており、駆動モータ１１３が回転することで、ギヤ１２２、巻取軸１２０及びプーリ１２１ａ、１２１ｂを介して、ワイヤ１１９ａ、１１９ｂが上下方向に移動して、当該ワイヤ１１９ａ、１１９ｂに連結されている給紙部１２がスライド軸１１６及びガイド孔１１８ａに沿って上下方向に昇降移動する。
【００７２】
また、給紙ユニット１１０には、上述のように、トレイ移動機構１３が設けられており、トレイ移動機構１３は、図１０に示すように構成されている。すなわち、トレイ移動機構１３は、ブラケツト支持軸１３１に固定されて図１０の矢示Ａ及びそれと反対方向に回動可能なモータブラケツト１３２に、互いに噛み合う駆動ギヤ１３３とアイドルギヤ１３４及びピニオン１３５とがそれぞれ回転可能に取り付けられているとともに、移動モータ１３６が固定されており、その移動モータ１３６の回転軸に固定されているウオームギヤ１３７が駆動ギヤ１３３と噛み合っていて、移動モータ１３６が回転すると、ピニオン１３５が減速されて回転する。
【００７３】
ピニオン１３５は、給紙トレイ１１ａ〜１１ｅの側面に固定されているラック１３８と離接可能に歯合し、ドア１１２が閉じられて、モータブラケツト１３２が矢示Ａと反対方向に回動したときに、ピニオン１３５がラツク１３８に噛み合い、ドア１１２が開かれると、モータブラケット１３２が矢印Ａ方向に回動して、ピニオン１３５がラック１３８との噛み合いから解かれる。
【００７４】
したがって、トレイ移動機構１３は、ドア１１２が閉じられて、ピニオン１３５がラック１３８と噛み合っている状態で、制御ユニット１５０から移動モータ１３６に、各段の給紙トレイ１１ａ〜１１ｅをホームポジシヨンと、給紙を行うためのセツトポジシヨンと、に移動させるトレイ移動信号が入力され、移動モータ１３６が当該トレイ移動信号に応じて回転することで、ウォームギヤ１３７、駆動ギヤ１３３及びアイドルギヤ１３４を介して、ラック１３８と歯合しているピニオン１３５が回転して、ラック１３８の固定されている給紙トレイ１１ａ〜１１ｅが、矢印Ｂまたは矢印Ｂと反対方向に移動する。すなわち、トレイ移動機構１３は、各給紙トレイ１１ａ〜１１ｅを、ホームポジシヨン（退避位置）とセットポジション（給紙位置）とに移動させる。
【００７５】
さらに、各給紙トレイ１１ａ〜１１ｅの後方には、図１０及び図１１に示すロック機構１４０が設けられており、ロック機構１４０は、各給紙トレイ１１ａ〜１１ｅの後端部に固定された突起部１４１、ホームセンサ１４２及びセットセンサ１４３等を備えている。ホームセンサ１４２及びセットセンサ１４３は、例えば、透過型のフォトセンサが用いられており、給紙トレイ１１ａ〜１１ｅがホームポジションにあるときに、突起部１４１がホームセンサ１４２を遮光し、給紙トレイ１１ａ〜１１ｅがセットポジションにあるときには、突起部１４１がセットセンサ１４３を遮光しない位置に移動する。
【００７６】
そして、複写装置１００は、図１２に示すように、上記操作ユニット２１と制御ユニット１５０を備えているとともに、転写紙判別ユニット１５１、出力負荷部１５２及び各種センサ１５３等を備えている。
【００７７】
転写紙判別ユニット１５１は、上記マイクロ波センサ１１４と信号処理部１５４等を備えており、マイクロ波センサ１１４は、信号処理部１５４の制御下で、給紙部１２の位置する給紙トレイ１１ａ〜１１ｅの転写紙Ｐに対してマイクロ波を照射（出力）し、その反射波を検出（検知）して、反射波のレベルに応じた検出信号を信号処理部１５４に出力する。信号処理部１５４は、制御ユニット１５０の制御下で、マイクロ波センサ１１４を駆動させるとともに、マイクロ波センサ１１４から入力される検出信号を用いて、転写紙Ｐが特殊転写紙Ｐであるか否かを判定して、判定結果を制御ユニット１５０に出力する。
【００７８】
出力負荷部１５２は、感光体ドラム、帯電器、現像器等の画像形成部２４及びこれらを駆動するためのモータ、クラッチ、ソレノイド及び給紙ユニット１１０の各モータ等の駆動部等を総称したものであり、各種センサ１５３は、感光体２４ａの表面電位やトナー濃度等を検出するセンサ等を総称したものである。
【００７９】
制御ユニット１５０は、複写装置１００の各部を制御して、複写装置１００としての基本処理を実行するとともに、マイクロ波センサ１１４を用いたコピー制御を行ってセキュリティ処理を実行する。
【００８０】
そして、この複写装置１００は、図示しないが、基本的に持出禁止の機密文書の保管されている部屋に設置されており、当該部屋の出入り口には、セキュリティ装置が設けられている。このセキュリティ装置は、上記部屋の出入り口に設けられたマイクロ波センサを有し、このマイクロ波センサは、上記給紙部１２に設けられている上記マイクロ波センサ１１４と同様の原理であって、金属繊維がすき込まれたり、金属が蒸着された原稿等の特殊用紙を検出する。セキュリティ装置は、部屋の出入り口に設けられたマイクロ波センサが特殊用紙を検出すると、ビデオカメラを作動させて特殊用紙を持ち出す人物を撮影したり、ブザーを鳴動させる等の警報を発生して、当該特殊用紙が部屋から持ち出されることを防止する。
【００８１】
次に、本実施の形態の作用を説明する。本実施の形態の複写装置１００は、持出禁止の機密文書の保管されている部屋に設置されており、この部屋内の複写装置１００でのコピーを特殊転写紙Ｐに限って許可して、当該部屋内からの機密文書の流出を確実に防止するとともに、複数の給紙トレイ１１ａ〜１１ｅを移動して各給紙トレイ１１ａ〜１１ｅの転写紙Ｐを給紙する給紙部１２に１個のマイクロ波センサ１１４を設けて、１個のマイクロ波センサ１１４で各給紙トレイ１１ａ〜１１ｅの転写紙Ｐが特殊転写紙Ｐであるか否かを検出している。
【００８２】
まず、複写装置１００の主な動作について説明する。複写装置１００は、電源が投入されると、初期動作として、制御ユニット１５０が昇降機構１１１の駆動モータ１１３を駆動させて、給紙部センサ１１５が給紙部１２の上端の遮光片１２ｂで遮光されるまで給紙部１２を上昇させ、給紙部１２の遮光片１２ｂが給紙部センサ１１５を遮光するホームポジション位置まで移動すると、制御ユニット１５０が駆動モータ１１３の駆動を停止させて、給紙部１２をホームポジションに位置させる。
【００８３】
この状態で、操作ユニット２１のキー操作で、コピー動作に必要な各種設定操作が行われ、当該コピーに使用する給紙トレイ１１ａ〜１１ｅが選択設定されると、制御ユニット１５０が、まず、当該選択された給紙トレイ１１ａ〜１１ｅのトレイ移動機構１３の移動モータ１３６を駆動させて、当該移動モータ１３６の回転軸に固定されているウォームギヤ１３７、駆動ギヤ１３３及びアイドルギヤ１３４を介して、給紙トレイ１１ａ〜１１ｅに固定されているラック１３８と歯合しているピニオン１３５を回転させ、ラック１３８の固定されている給紙トレイ１１ａ〜１１ｅを、ホームポジション（待避位置）からセットポジション方向に移動させる。そして、当該移動している給紙トレイ１１ａ〜１１ｅの突起部１４１がホームセンサ１４２を遮光しない位置まで移動すると、制御ユニット１５０は、移動モータ１３６の駆動を停止させて、当該給紙トレイ１１ａ〜１１ｅをセットポジションに位置させる。
【００８４】
次に、制御ユニット１５０は、昇降機構１１１の駆動モータ１１３を上記ホームポジションへの移動とは反対方向に駆動させて、給紙部１２の下降を開始させる。いま、上述のように、コピーに使用する給紙トレイ１１ａ〜１１ｅがその移動機構１３によりホームポジションからセットポジションへと移動している。
【００８５】
この状態で、給紙部１２が下降を開始すると、そのピックアップローラ１６がセットポジションに移動している給紙トレイ１１ａ〜１１ｅの転写紙Ｐの最上紙と接触して、ピックアップローラ１６と一体的に形成されている支持板１６ａの突片１６ｂがピックアップセンサ１２ａを遮光する。
【００８６】
制御ユニット１５０は、ピックアップセンサ１２ａが突片１６ｂで遮光されてオフすると、駆動モータ１１３の駆動を停止させる。このとき、給紙部１２は、選択されてセットポジションに移動している給紙トレイ１１ａ〜１１ｅの給紙位置に移動セットされた状態となる。
【００８７】
そして、給紙部１２には、マイクロ波センサ１１４が設けられており、マイクロ波センサ１１４は、給紙部１２が給紙トレイ１１ａ〜１１ｅに沿って上下方向に移動してコピーに使用する給紙トレイ１１ａ〜１１ｅの位置に移動した際等に、信号処理部１５４が、制御ユニット１５０の制御下で、マイクロ波センサ１１４を駆動させるとともに、マイクロ波センサ１１４から入力される検出信号を用いて、転写紙Ｐが金属繊維または金属が蒸着されたガラス繊維のすき込まれあるいは金属を含む特殊転写紙Ｐであるか否かを判定して、判定結果を制御ユニット１５０に出力する。
【００８８】
そして、このマイクロ波センサ１１４が金属繊維または金属が蒸着されたガラス繊維のすき込まれあるいは金属を含む特殊転写紙Ｐを読み取ったときの検出信号は、非金属部分と金属部分とで、その信号波形が、図４に示したように変化し、金属部分ではセンサ出力（検出信号レベル）Ｓａが高く、非金属部分では、センサ出力Ｓａが低くなる。そこで、信号処理部３４は、非金属部分と金属部分を峻別する判定スレッシュレベルＴｈｂを適切に設定して、マイクロ波センサ１９のセンサ出力Ｓａと判定スレッシュレベルＴｈｂを比較することで、給紙部１２を搬送される転写紙Ｐが、特殊転写紙Ｐであるか、特殊転写紙Ｐ以外の通常の転写紙Ｐであるかを判別することができる。
【００８９】
そして、上述のようにして給紙部１２が、選択されてセットポジションに移動している給紙トレイ１１ａ〜１１ｅの給紙位置に移動して、操作ユニット２１でコピーの開始が指示操作されると、制御ユニット１５０が、出力負荷部１５２を駆動させて、ピックアップローラ１７及びリバースローラ１８等を駆動して、当該給紙トレイ１１ａ〜１１ｅ上の転写紙Ｐをピックアップローラ１６で給紙部１２内に取り込み、フィードローラ１７及びリバースローラ１８で１枚ずつ分離して、搬送路上をコピー本体部２０へ給紙・搬送するが、このとき、上記転写紙Ｐが特殊転写紙Ｐであるか否かの判別処理で、当該給紙トレイ１１ａ〜１１ｅに搭載されている転写紙Ｐが特殊転写紙Ｐではなく、通常の転写紙Ｐであることを判別していると、制御ユニット１５０は、当該給紙トレイ１１ａ〜１１ｅからの転写紙Ｐの給紙を中止して、当該転写紙Ｐへの画像の記録出力、すなわち、コピー動作を停止し、非特殊転写紙Ｐへのコピーを防止する。
【００９０】
一方、制御ユニット１５０は、信号処理部１５４からの当該給紙トレイ１１ａ〜１１ｅに搭載されている転写紙Ｐの判定結果が特殊転写紙Ｐであることを示していると、当該給紙トレイ１１ａ〜１１ｅからの転写紙Ｐの搬送を開始して、当該給紙トレイ１１ａ〜１１ｅの転写紙Ｐへの画像の記録出力、すなわち、コピー動作を許可し、特殊転写紙Ｐへのコピーを可能として、必要な秘密書類のコピーを可能とする。
【００９１】
ところが、このコピーの取られた特殊転写紙Ｐは、複写装置１００の設定されている部屋から持ち出そうとすると、セキュリティ装置のマイクロ波センサが当該コピーの行われた特殊転写紙Ｐを検出して、警報を発生し、コピーされた特殊転写紙Ｐが機密文書の持ち出しの禁止されている部屋から持ち出されるのを確実に防止する。
【００９２】
このように、本実施の形態の複写装置１００は、給紙ユニット１１０を、それぞれ転写紙Ｐの載置される複数の給紙トレイ１１ａ〜１１ｅと、各給紙トレイ１１ａ〜１１ｅの給紙位置に移動して当該給紙トレイ１１ａ〜１１ｅの転写紙Ｐを画像形成部２４に送給する給紙部１２と、を備え、給紙部１２が、画像記録に使用する給紙トレイ１１ａ〜１１ｅの給紙位置に移動して当該給紙トレイ１１ａ〜１１ｅ内の転写紙Ｐを画像形成部２４に送給するものとし、給紙部１２が、マイクロ波センサ１１４を搭載して、各給紙トレイ１１ａ〜１１ｅの転写紙Ｐが特殊転写紙Ｐであるか否かを検出している。
【００９３】
したがって、給紙部１２の搭載する１個のマイクロ波センサ１１４で複数の給紙トレイ１１ａ〜１１ｅの転写紙Ｐが特殊転写紙Ｐであるか否かを安価に検出して、複写可能な転写紙Ｐの管理や複写装置１００の使用管理を安価にかつ適切に行うことができ、セキュリティ管理を安価で簡単かつ確実に行うことができる。
【００９４】
また、本実施の形態の文書管理システムは、複写装置１００が、所定の出入り口のみが開放された部屋内に設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出するマイクロ波センサが配設されていて、当該マイクロ波センサが特殊紙を検出すると、当該特殊紙の当該部屋外への持ち出しを禁止している。
【００９５】
したがって、複写装置１００での複写を適切に管理することができるとともに、複写装置１００で複写された転写紙Ｐや原稿の部屋からの持ち出しを禁止することができ、複写装置１００だけのセキュリティ管理だけでなく、複写装置１００の設置されている環境のセキュリティ管理を適切に行って、機密文書のセキュリティ管理を適切に行うことができる。
【００９６】
図１３〜図１６は、本発明の本発明の複写装置及び文書管理システムの第３の実施の形態を示す図であり、図１３は、本発明の複写装置及び文書管理システムの第３の実施の形態を適用した複写装置２００の正面要部概略構成図である。
【００９７】
本実施の形態は、上記第２の実施の形態の複写装置１００と同様の複写装置２００に適用したものであり、本実施の形態の説明においては、上記第２の実施の形態の複写装置１００と同様の構成部分には、同一の符号を付して、その詳細な説明を省略するとともに、図示しない部分についても、必要に応じて第２の実施の形態の説明で用いた符号をそのまま用いて説明する。
【００９８】
図１３において、複写装置２００は、給紙ユニット１１０上に、コピー本体部２０が搭載され、コピー本体部２０の上部の図１の右側には、操作ユニット２１が設けられている。
【００９９】
給紙ユニット１１０は、上下方向に配設された複数の給紙トレイ１１ａ〜１１ｅ、各給紙トレイ１１ａ〜１１ｅに対応する給紙位置に移動して各給紙トレイ１１ａ〜１１ｅから転写紙Ｐを給紙する給紙部１２、各給紙トレイ１１ａ〜１１ｅ毎に設けられ各給紙トレイ１１ａ〜１１ｅを給紙部１２による給紙可能位置であるセットポジションへ移動させるトレイ移動機構１３、給紙部１２を各給紙トレイ１１ａ〜１１ｅに沿って昇降させる昇降機構１１１（図６参照）及び各給紙トレイ１１ａ〜１１ｅを給紙ユニット１０内に収納しまた取り出すためのドア１１２等を備えており、各給紙トレイ１１ａ〜１１ｅには、それぞれ各種サイズの転写紙Ｐであって、金属繊維または金属が蒸着されたガラス繊維のすき込まれあるいは金属を含む特殊転写紙Ｐや特殊転写紙Ｐ以外の通常の転写紙Ｐがセットされる。
【０１００】
給紙ユニット１１０は、操作ユニット２１でコピーに使用する給紙トレイ１１ａ〜１１ｅの選択操作が行われると、当該選択された給紙トレイ１１ａ〜１１ｅのトレイ移動機構１３を駆動させて、当該給紙トレイ１１ａ〜１１ｅを給紙部１２による給紙可能位置であるセットポジションへ移動させ、昇降機構１１１により、給紙部１２を当該セットポジションに移動している給紙トレイ１１ａ〜１１ｅの給紙位置に移動させ、当該給紙トレイ１１ａ〜１１ｅに搭載されている転写紙Ｐを給紙部１２でコピー本体部２０へ給紙・搬送する。
【０１０１】
給紙部１２は、給紙トレイ１１ａ〜１１ｅ上の転写紙Ｐをピックアップローラ１６で給紙部１２内に取り込み、フィードローラ１７及びリバースローラ１８で１枚ずつ分離して、搬送路上をコピー本体部２０へ給紙・搬送するとともに、給紙部１２には、マイクロ波センサ１１４が設けられており、マイクロ波センサ１１４は、給紙部１２の移動に伴って、各給紙トレイ１１ａ〜１１ｅに載置されている転写紙Ｐが、特殊転写紙Ｐであるか、通常の転写紙Ｐであるか、を検出する。
【０１０２】
また、コピー本体部２０は、上述のように、スキャナ部２２、光書込部２３、画像形成部２４、定着部２５、反転搬送部２６及びレジストローラ２７等を備えており、コピー本体部２０の上部には、ＡＤＦ（Ａｕｔｏ  Ｄｏｃｕｍｅｎｔ  Ｆｉｅｄｅｒ）２１０が配設されている。
【０１０３】
ＡＤＦ２１０は、原稿載置台２１１上に載置された複数枚の原稿Ｇ（図１４参照）を、ピックアップローラ及び搬送ローラ等の複数のローラ２１２で、図１４に示すスリットガラス２１３と読取ユニット２１４との間に搬送して、当該スリットガラス２１３と読取ユニット２１４を通して、排紙台２１５上に原稿Ｇを排出する。
【０１０４】
コピー本体部２０の上面には、上記スリットガラス２１３とコンタクトガラス２１５が配設されており、これらスリットガラス２１３とコンタクトガラス２１５の下方のコピー本体部２０内には、上記スキャナ部２２の構成要素として、読取ランプ２２ａと第１ミラー２２ｂを搭載する第１キャリッジ２２ｃ及び第２ミラー２２ｄと第３ミラー２２ｅを搭載する第２キャリッジ２２ｆ等が配設されている。
【０１０５】
また、読取ユニット２１４には、搬送ローラ２１６とマイクロ波センサ２１７を収納しており、搬送ローラ２１６は、ローラ２１２により読取ユニット２１４とスリットガラス２１３との間に搬送されてきた原稿Ｇをスリットガラス２１３に押しつけつつ搬送する。
【０１０６】
マイクロ波センサ（特殊原稿検出手段）２１７は、搬送されてくる原稿Ｇが金属繊維または金属が蒸着されたガラス繊維のすき込まれあるいは金属を含む特殊原稿Ｇであるか、通常の原稿Ｇであるかを検出する。この搬送ローラ２１６とマイクロ波センサ２１７を備えた読取ユニット２１４は、図１５に示すように、原稿Ｇの読取幅全域にわたって配設されている。
【０１０７】
そして、この複写装置２００は、図１６に示すように、上記第２の実施の形態と同様の制御ユニット１５０、操作ユニット２１、出力負荷部１５２及び各種センサ１５３等を備えているとともに、判別ユニット２２０を備えており、判別ユニット２２０は、上記給紙部１２に設けられて転写紙Ｐが特殊転写紙Ｐであるか否かを検出するマイクロ波センサ１１４と上記読取ユニット２１４に設けられて読取対象の原稿Ｇが特殊原稿Ｇであるか否かを検出するマイクロ波センサ２１７及び信号処理部２２１等を備えている。
【０１０８】
マイクロ波センサ１１４は、信号処理部２２１の制御下で、給紙部１２の位置する給紙トレイ１１ａ〜１１ｅの転写紙Ｐに対してマイクロ波を照射（出力）し、その反射波を検出（検知）して、反射波のレベルに応じた検出信号を信号処理部２２１に出力する。マイクロ波センサ２１７は、信号処理部２２１の制御下で、読取ユニット２１４に搬送されてくる原稿Ｇに対してマイクロ波を照射（出力）し、その反射波を検出（検知）して、反射波のレベルに応じた検出信号を信号処理部２２１に出力する。
【０１０９】
信号処理部２２１は、制御ユニット１５０の制御下で、マイクロ波センサ１１４とマイクロ波センサ２１７を駆動させるとともに、マイクロ波センサ１１４及びマイクロ波センサ２１７から入力される検出信号を用いて、転写紙Ｐが特殊転写紙Ｐであるか否かを判定し、また、原稿Ｇが特殊原稿Ｇであるか否かを判定して、判定結果を制御ユニット１５０に出力する。
【０１１０】
出力負荷部１５２及び各種センサ１５３は、基本的に、第２の実施の形態と同様である。
【０１１１】
制御ユニット１５０は、複写装置２００の各部を制御して、複写装置２００としての基本処理を実行するとともに、マイクロ波センサ１１４及びマイクロ波センサ２１４を用いたコピー制御を行ってセキュリティ処理を実行する。
【０１１２】
そして、この複写装置２００は、図示しないが、基本的に持出禁止の機密文書の保管されている部屋に設置されており、当該部屋の出入り口には、セキュリティ装置が設けられている。このセキュリティ装置は、上記部屋の出入り口に設けられたマイクロ波センサを有し、このマイクロ波センサは、上記給紙部１２に設けられている上記マイクロ波センサ１１４及び読取ユニット２１４のマイクロ波センサ２１７と同様の原理であって、金属繊維がすき込まれたり、金属が蒸着された原稿等の特殊用紙を検出する。セキュリティ装置は、部屋の出入り口に設けられたマイクロ波センサが特殊用紙を検出すると、ビデオカメラを作動させて特殊用紙を持ち出す人物を撮影したり、ブザーを鳴動させる等の警報を発生して、当該特殊用紙が部屋から持ち出されることを防止する。
【０１１３】
次に、本実施の形態の作用を説明する。本実施の形態の複写装置２００は、持出禁止の機密文書の保管されている部屋に設置されており、この部屋内の複写装置２００での持ち出し禁止の機密文書が、金属繊維または金属が蒸着されたガラス繊維がすき込まれたあるいは金属を含む文書等である特殊原稿Ｇをコピーする場合には、転写紙Ｐが金属繊維または金属が蒸着されたガラス繊維のすき込まれあるいは金属を含む特殊転写紙Ｐである場合に限って許可して、当該部屋内からの機密文書の流出を確実に防止するとともに、複数の給紙トレイ１１ａ〜１１ｅを移動して各給紙トレイ１１ａ〜１１ｅの転写紙Ｐを給紙する給紙部１２に１個のマイクロ波センサ１１４を設けて、１個のマイクロ波センサ１１４で各給紙トレイ１１ａ〜１１ｅの転写紙Ｐが特殊転写紙Ｐであるか否かを検出している。
【０１１４】
そして、複写装置２００は、その主な動作が、上記第２の実施の形態の複写装置１００と同様であり、電源が投入されると、初期動作として、制御ユニット１５０が昇降機構１１１の駆動モータ１１３を駆動させて、給紙部センサ１１５が給紙部１２の上端の遮光片１２ｂで遮光されるまで給紙部１２を上昇させ、給紙部１２の遮光片１２ｂが給紙部センサ１１５を遮光するホームポジション位置まで移動すると、制御ユニット１５０が駆動モータ１１３の駆動を停止させて、給紙部１２をホームポジションに位置させる。
【０１１５】
この状態で、操作ユニット２１のキー操作で、コピー動作に必要な各種設定操作が行われ、当該コピーに使用する給紙トレイ１１ａ〜１１ｅが選択設定されると、制御ユニット１５０が、まず、当該選択された給紙トレイ１１ａ〜１１ｅのトレイ移動機構１３の移動モータ１３６を駆動させて、当該移動モータ１３６の回転軸に固定されているウォームギヤ１３７、駆動ギヤ１３３及びアイドルギヤ１３４を介して、給紙トレイ１１ａ〜１１ｅに固定されているラック１３８と歯合しているピニオン１３５を回転させ、ラック１３８の固定されている給紙トレイ１１ａ〜１１ｅを、ホームポジション（待避位置）からセットポジション方向に移動させる。そして、当該移動している給紙トレイ１１ａ〜１１ｅの突起部１４１がホームセンサ１４２を遮光しない位置まで移動すると、制御ユニット１５０は、移動モータ１３６の駆動を停止させて、当該給紙トレイ１１ａ〜１１ｅをセットポジションに位置させる。
【０１１６】
次に、制御ユニット１５０は、昇降機構１１１の駆動モータ１１３を上記ホームポジションへの移動とは反対方向に駆動させて、給紙部１２の下降を開始させる。いま、上述のように、コピーに使用する給紙トレイ１１ａ〜１１ｅがその移動機構１３によりホームポジションからセットポジションへと移動している。
【０１１７】
この状態で、給紙部１２が下降を開始すると、そのピックアップローラ１６がセットポジションに移動している給紙トレイ１１ａ〜１１ｅの転写紙Ｐの最上紙と接触して、ピックアップローラ１６と一体的に形成されている支持板１６ａの突片１６ｂがピックアップセンサ１２ａを遮光する。
【０１１８】
制御ユニット１５０は、ピックアップセンサ１２ａが突片１６ｂで遮光されてオフすると、駆動モータ１１３の駆動を停止させる。このとき、給紙部１２は、選択されてセットポジションに移動している給紙トレイ１１ａ〜１１ｅの給紙位置に移動セットされた状態となる。
【０１１９】
そして、ＡＤＦ２１０の原稿載置台２１１上に原稿Ｇがセットされ、操作ユニット２１でコピーを開始するスタートキーが押下されると、ＡＤＦ２１０が、原稿載置台２１１上の原稿Ｇを１枚ずつ分離して読取ユニット２１４とスリットガラス２１３との間に搬送して、スキャナ部２２が、当該原稿Ｇの画像を読み取るとともに、マイクロ波センサ２１７が、読取ユニット２１４に搬送されてくる原稿Ｇに対してマイクロ波を照射（出力）し、その反射波を検出（検知）して、反射波のレベルに応じた検出信号を信号処理部２２１に出力する。
【０１２０】
信号処理部２２１は、マイクロ波センサ２１７から入力される検出信号に基づいて、原稿Ｇが特殊原稿Ｇであるか否かを判定して、制御ユニット１５０に出力し、制御ユニット１５０は、この信号処理部２２１からの原稿Ｇの判定結果を内部メモリに保存する。
【０１２１】
一方、給紙部１２には、マイクロ波センサ１１４が設けられており、マイクロ波センサ１１４は、給紙部１２が給紙トレイ１１ａ〜１１ｅに沿って上下方向に移動してコピーに使用する給紙トレイ１１ａ〜１１ｅの位置に移動した際等に、信号処理部２２１が、制御ユニット１５０の制御下で、マイクロ波センサ１１４を駆動させるとともに、マイクロ波センサ１１４から入力される検出信号を用いて、転写紙Ｐが特殊転写紙Ｐであるか否かを判定して、判定結果を制御ユニット１５０に出力する。
【０１２２】
そして、このマイクロ波センサ１１４及びマイクロ波センサ２１７が金属繊維または金属が蒸着されたガラス繊維のすき込まれあるいは金属を含む特殊転写紙Ｐや特殊原稿Ｇを読み取ったときの検出信号は、非金属部分と金属部分とで、その信号波形が、図４に示したように変化し、金属部分ではセンサ出力（検出信号レベル）Ｓａが高く、非金属部分では、センサ出力Ｓａが低くなる。そこで、信号処理部２２１は、非金属部分と金属部分を峻別する判定スレッシュレベルＴｈｂを適切に設定して、マイクロ波センサ１１４、２１７のセンサ出力Ｓａと判定スレッシュレベルＴｈｂを比較することで、転写紙Ｐが、特殊転写紙Ｐであるか、特殊転写紙Ｐ以外の通常の転写紙Ｐであるか、また、原稿Ｇが特殊原稿Ｇであるか、特殊原稿Ｇ以外の通常の原稿Ｇであるかを判別することができる。
【０１２３】
そして、上述のようにして給紙部１２が、選択されてセットポジションに移動している給紙トレイ１１ａ〜１１ｅの給紙位置に移動して、スキャナ部２２の読み取った画像データに基づいて転写紙Ｐに画像を記録出力するために、制御ユニット１５０が、出力負荷部１５２を駆動させて、ピックアップローラ１７及びリバースローラ１８等を駆動して、当該給紙トレイ１１ａ〜１１ｅ上の転写紙Ｐをピックアップローラ１６で給紙部１２内に取り込み、フィードローラ１７及びリバースローラ１８で１枚ずつ分離して、搬送路上をコピー本体部２０へ給紙・搬送するが、このとき、上記原稿Ｇが特殊原稿Ｇであるか否かの判別処理で、特殊原稿Ｇであるときには、上記転写紙Ｐが特殊転写紙Ｐであるか否かの判別処理で、当該給紙トレイ１１ａ〜１１ｅに搭載されている転写紙Ｐが特殊転写紙Ｐではなく、通常の転写紙Ｐであることを判別していると、制御ユニット１５０は、当該給紙トレイ１１ａ〜１１ｅからの転写紙Ｐの給紙を中止して、当該転写紙Ｐへの画像の記録出力、すなわち、コピー動作を停止し、非特殊転写紙Ｐへのコピーを防止する。
【０１２４】
また、制御ユニット１５０は、上記原稿Ｇが特殊原稿Ｇであるか否かの判別処理で、特殊原稿Ｇであり、上記転写紙Ｐが特殊転写紙Ｐであるか否かの判別処理で、当該給紙トレイ１１ａ〜１１ｅに搭載されている転写紙Ｐが特殊転写紙Ｐであることを判別していると、当該給紙トレイ１１ａ〜１１ｅからの転写紙Ｐの搬送を開始して、当該給紙トレイ１１ａ〜１１ｅの転写紙Ｐへの画像の記録出力、すなわち、コピー動作を許可し、特殊転写紙Ｐへのコピーを可能として、必要な秘密書類のコピーを可能とする。
【０１２５】
さらに、制御ユニット１５０は、上記原稿Ｇが特殊原稿Ｇであるか否かの判別処理で、特殊原稿Ｇではなく、通常の原稿Ｇあるときには、上記転写紙Ｐが特殊転写紙Ｐであるか否かの判別処理で、当該給紙トレイ１１ａ〜１１ｅに搭載されている転写紙Ｐが通常の転写紙Ｐであることを判別していると、当該給紙トレイ１１ａ〜１１ｅからの転写紙Ｐの搬送を開始して、当該給紙トレイ１１ａ〜１１ｅの転写紙Ｐへの画像の記録出力、すなわち、コピー動作を許可し、特殊転写紙Ｐへのコピーを可能として、必要な秘密書類のコピーを可能とする。
【０１２６】
また、制御ユニット１５０は、上記原稿Ｇが特殊原稿Ｇであるか否かの判別処理で、特殊原稿Ｇではなく、通常の原稿Ｇあるときには、上記転写紙Ｐが特殊転写紙Ｐであるか否かの判別処理で、当該給紙トレイ１１ａ〜１１ｅに搭載されている転写紙Ｐが特殊転写紙Ｐであることを判別していると、当該給紙トレイ１１ａ〜１１ｅからの転写紙Ｐの給紙を中止して、当該転写紙Ｐへの画像の記録出力、すなわち、コピー動作を停止し、非特殊転写紙Ｐへのコピーを防止する。
【０１２７】
ところが、このコピーの取られた特殊転写紙Ｐは、複写装置２００の設定されている部屋から持ち出そうとすると、セキュリティ装置のマイクロ波センサが当該コピーの行われた特殊転写紙Ｐを検出して、警報を発生し、コピーされた特殊転写紙Ｐが機密文書の持ち出しの禁止されている部屋から持ち出されるのを確実に防止する。
【０１２８】
なお、原稿Ｇが特殊原稿Ｇでないときのコピー制御については、上記説明の制御処理に限るものではなく、例えば、制御内容を適宜設定できるようにしてもよい。
【０１２９】
このように、本実施の形態の複写装置２００は、原稿Ｇの画像をスキャナ部２２で読み取って、当該スキャナ部２２の読み取った原稿Ｇの画像データに基づいて給紙ユニット１１０から搬送されてきた転写紙Ｐに画像形成部２４で画像を記録するに際して、マイクロ波センサ１１４で、転写紙Ｐが金属繊維または金属の蒸着されたガラス繊維のすき込まれたあるいは金属を含む特殊転写紙Ｐであるか否かを当該転写紙Ｐにマイクロ波等を照射して検出し、スキャナ部２２に、読取対象の原稿Ｇが金属繊維または金属の蒸着されたガラス繊維のすき込まれたあるいは金属を含む特殊原稿Ｇであるか否かを当該原稿Ｇにマイクロ波等を照射して検出するマイクロ波センサ２１７を設け、当該マイクロ波センサ２１７が読取対象の原稿Ｇが特殊原稿Ｇであることを検出すると、マイクロ波センサ１１４が画像記録対象の転写紙Ｐが特殊転写紙Ｐであることを検出する場合のみ、スキャナ部２２の読み取った当該特殊原稿Ｇの画像を当該特殊転写紙Ｐへ記録することを許可している。
【０１３０】
したがって、特殊原稿Ｇの画像の特殊転写紙Ｐへの記録出力のみを許可して、複写可能な原稿Ｇと転写紙Ｐの管理や複写装置２００の使用管理を適切に行うことができ、セキュリティ管理を簡単かつ確実に行うことができる。
【０１３１】
また、本実施の形態の複写装置２００は、給紙ユニット１１０を、それぞれ転写紙Ｐの載置される複数の給紙トレイ１１ａ〜１１ｅと、各給紙トレイ１１ａ〜１１ｅの給紙位置に移動して当該給紙トレイ１１ａ〜１１ｅの転写紙Ｐを画像形成部２４に送給する給紙部１２と、を備え、給紙部１２が、画像記録に使用する給紙トレイ１１ａ〜１１ｅの給紙位置に移動して当該給紙トレイ１１ａ〜１１ｅ内の転写紙Ｐを画像形成部２４に送給するものとし、給紙部１２が、マイクロ波センサ１１４を搭載して、各給紙トレイ１１ａ〜１１ｅの転写紙Ｐが特殊転写紙Ｐであるか否かを検出している。
【０１３２】
したがって、給紙部１２の搭載する１個のマイクロ波センサ１１４で複数の給紙トレイ１１ａ〜１１ｅの転写紙Ｐが特殊転写紙Ｐであるか否かを安価に検出して、複写可能な転写紙Ｐの管理や複写装置２００の使用管理を安価にかつ適切に行うことができ、セキュリティ管理を安価で簡単かつ確実に行うことができる。
【０１３３】
さらに、本実施の形態の文書管理システムは、複写装置２００が、所定の出入り口のみが開放された部屋内に設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出するマイクロ波センサが配設されていて、当該マイクロ波センサが特殊紙を検出すると、当該特殊紙の当該部屋外への持ち出しを禁止している。
【０１３４】
したがって、複写装置２００での複写を適切に管理することができるとともに、複写装置２００で複写された転写紙Ｐや原稿の部屋からの持ち出しを禁止することができ、複写装置２００だけのセキュリティ管理だけでなく、複写装置２００の設置されている環境のセキュリティ管理を適切に行って、機密文書のセキュリティ管理を適切に行うことができる。
【０１３５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１３６】
【発明の効果】
請求項１記載の発明の複写装置によれば、原稿の画像を画像読取部で読み取って、当該画像読取部の読み取った原稿の画像データに基づいて用紙給紙部から搬送されてきた用紙に画像記録部で画像を記録するに際して、特殊用紙検出手段で、用紙が金属繊維または金属の蒸着されたガラス繊維のすき込まれたあるいは金属を含む特殊用紙であるか否かを当該用紙にマイクロ波等を照射して検出し、画像記録対象の用紙が特殊用紙以外の用紙であると、当該用紙への画像の記録を禁止するので、特殊用紙以外の用紙への画像記録を禁止して、複写可能な用紙の管理や複写装置の使用管理を適切に行うことができ、セキュリティ管理を簡単かつ確実に行うことができる。
【０１３７】
請求項２記載の発明の複写装置によれば、特殊用紙検出手段が画像記録対象の用紙が特殊用紙であることを検出すると、当該用紙への画像の記録を許可するので、特殊用紙への画像記録のみを許可して、複写可能な用紙の管理や複写装置の使用管理を適切に行うことができ、セキュリティ管理を簡単かつ確実に行うことができる。
【０１３８】
請求項３記載の発明の複写装置によれば、用紙給紙部を、それぞれ用紙の載置される複数の給紙トレイと、各給紙トレイの給紙位置に移動して当該給紙トレイの用紙を画像記録部に送給する給紙手段と、を備え、給紙手段が、画像記録に使用する給紙トレイの給紙位置に移動して当該給紙トレイ内の用紙を画像記録部に送給するものとし、当該給紙手段が、特殊用紙検出手段を搭載して、各給紙トレイの用紙が特殊用紙であるか否かを検出するので、給紙手段の搭載する１個の特殊用紙検出手段で複数の給紙トレイの用紙が特殊用紙であるか否かを安価に検出して、複写可能な用紙の管理や複写装置の使用管理を安価にかつ適切に行うことができ、セキュリティ管理を安価で簡単かつ確実に行うことができる。
【０１３９】
請求項４記載の発明の複写装置によれば、原稿の画像を画像読取部で読み取って、当該画像読取部の読み取った原稿の画像データに基づいて用紙給紙部から搬送されてきた用紙に画像記録部で画像を記録するに際して、特殊用紙検出手段で、用紙が金属繊維または金属の蒸着されたガラス繊維のすき込まれたあるいは金属を含む特殊用紙であるか否かを当該用紙にマイクロ波等を照射して検出し、画像読取部に、読取対象の原稿が金属繊維または金属の蒸着されたガラス繊維のすき込まれたあるいは金属を含む特殊原稿であるか否かを当該原稿にマイクロ波等を照射して検出する特殊原稿検出手段を設け、当該特殊原稿検出手段が読取対象の原稿が特殊原稿であることを検出すると、特殊用紙検出手段が画像記録対象の用紙が特殊用紙であることを検出する場合のみ、画像読取部の読み取った当該特殊原稿の画像を当該特殊用紙へ記録することを許可するので、特殊原稿の画像の特殊用紙への記録出力のみを許可して、複写可能な原稿と用紙の管理や複写装置の使用管理を適切に行うことができ、セキュリティ管理を簡単かつ確実に行うことができる。
【０１４０】
請求項５記載の発明の複写装置によれば、用紙給紙部を、それぞれ用紙の載置される複数の給紙トレイと、各給紙トレイの給紙位置に移動して当該給紙トレイの用紙を画像記録部に送給する給紙手段と、を備え、給紙手段が、画像記録に使用する給紙トレイの給紙位置に移動して当該給紙トレイ内の用紙を画像記録部に送給するものとし、当該給紙手段が、特殊用紙検出手段を搭載して、各給紙トレイの用紙が特殊用紙であるか否かを検出しているので、給紙手段の搭載する１個の特殊用紙検出手段で複数の給紙トレイの用紙が特殊用紙であるかを安価に検出して、複写可能な原稿と用紙の管理や複写装置の使用管理を安価にかつ適切に行うことができ、セキュリティ管理を安価で簡単かつ確実に行うことができる。
【０１４１】
請求項６記載の発明の文書管理システムによれば、所定の出入り口のみが開放された部屋に複写装置が設置されており、当該出入り口に、当該出入り口を通過する紙が金属繊維または金属の蒸着されたガラス繊維のすき込まれたあるいは金属を含む特殊紙であるか否かを当該紙にマイクロ波等を照射して検出する特殊紙検出手段が配設されていて、当該特殊紙検出手段が特殊紙を検出すると、当該特殊紙の当該部屋外への持ち出しを禁止するに際して、当該部屋内に設置する複写装置として、請求項１から請求項５のいずれかに記載の複写装置を設置しているので、複写装置での複写を適切に管理することができるとともに、複写装置で複写された用紙や原稿の部屋からの持ち出しを禁止することができ、複写装置だけのセキュリティ管理だけでなく、複写装置の設置されている環境のセキュリティ管理を適切に行って、機密文書のセキュリティ管理を適切に行うことができる。
【図面の簡単な説明】
【図１】本発明の複写装置及び文書管理システムの第１の実施の形態を適用した複写装置の側面概略構成図。
【図２】図１の給紙部部分の拡大構成図。
【図３】図１の複写装置の要部ブロック構成図。
【図４】マイクロ波センサの非金属部と金属部でのセンサ出力波形図。
【図５】本発明の複写装置及び文書管理システムの第２の実施の形態を適用した複写装置の側面概略構成図。
【図６】図５の複写装置の給紙ユニット制御系のブロック構成図。
【図７】図６の給紙部部分の拡大構成図。
【図８】図６の給紙ユニットの昇降機構及び給紙部の概略構成図。
【図９】図６の給紙ユニットの昇降機構を示す斜視図。
【図１０】図６の給紙ユニットのトレイ移動機構の斜視図。
【図１１】図６の給紙ユニットの給紙トレイのロック機構部分の拡大斜視図。
【図１２】図６の複写装置の要部ブロック構成図。
【図１３】本発明の複写装置及び文書管理システムの第３の実施の形態を適用した複写装置の側面概略構成図。
【図１４】図１３のＡＤＦの読取ユニット部分の要部拡大正面図。
【図１５】図１４の読取ユニット部分の平面図。
【図１６】図１３の複写装置の要部ブロック構成図。
【符号の説明】
１  複写装置
１０  給紙ユニット
１１ａ〜１１ｅ  給紙トレイ
１２  給紙部
１２ａ  ピックアップセンサ
１２ｂ  遮光片
１２ｃ  案内部
１３  トレイ移動機構
１４  ドア
１５  筐体
１６ａ  支持板
１６ｂ  突片
１６  ピックアップローラ
１７  フィードローラ
１８  リバースローラ
１９  マイクロ波センサ
２０  コピー本体部
２１  操作ユニット
２２  スキャナ部
２２ａ  読取ランプ
２２ｂ  第１ミラー
２２ｃ  第１キャリッジ
２２ｄ  第２ミラー
２２ｅ  第３ミラー
２２ｆ  第２キャリッジ
２３  光書込部
２４  画像形成部
２４ａ  感光体
２４ｂ  現像部
２５  定着部
２６  反転搬送部
２７  レジストローラ
３０  制御ユニット
３１  転写紙判別ユニット
３２  出力負荷部
３３  各種センサ
３４  信号処理部
１００  複写装置
１１０  給紙ユニット
１１１  昇降機構
１１２  ドア
１１３  駆動モータ
１１４  マイクロ波センサ
１１５  給紙部センサ
１１６  スライド軸
１１７  ワイヤ固定ロッド
１１８  中間側板
１１８ａ  ガイド孔
１１９ａ、１１９ｂ  ワイヤ
１２０  巻取軸
１２１ａ、１２１ｂ  プーリ
１２２  ギヤ
１３１  ブラケツト支持軸
１３２  モータブラケツト
１３３  駆動ギヤ
１３４  アイドルギヤ
１３５  ピニオン
１３６  移動モータ
１３７  ウオームギヤ
１３８  ラツク
１４０  ロック機構
１４１  突起部
１４２  ホームセンサ
１４３  セットセンサ
１５０  制御ユニット
１５１  転写紙判別ユニット
１５２  出力負荷部
１５３  各種センサ
１５４  信号処理部
２００  複写装置
２１０  ＡＤＦ
２１１  原稿載置台
２１２  ローラ
２１３  スリットガラス
２１４  読取ユニット
２１５  排紙台
２１６  搬送ローラ
２１７  マイクロ波センサ
２２０  判別ユニット
２２１  信号処理部
【図１】
2004341428.tif 000003
【図２】
2004341428.tif 000004
【図３】
2004341428.tif 000005
【図４】
2004341428.tif 000006
【図５】
2004341428.tif 000007
【図６】
2004341428.tif 000008
【図７】
2004341428.tif 000009
【図８】
2004341428.tif 000010
【図９】
2004341428.tif 000011
【図１０】
2004341428.tif 000012
【図１１】
2004341428.tif 000013
【図１２】
2004341428.tif 000014
【図１３】
2004341428.tif 000015
【図１４】
2004341428.tif 000016
【図１５】
2004341428.tif 000017
【図１６】
2004341428.tif 000018